(57)【要約】      （修正有）【課題】身体の両肩に装着し、電動モータの動力手段によって押圧体を作動させることにより、身体の肩部と背部をマッサージすることができ、これによって身体の肩部及び背部の血行を増進するようにした肩背部マッサージ機を提供する。【解決手段】身体の両肩に装着することによって身体の肩部と背部をマッサージする肩背部マッサージ機１において、略コ字形の内周部６を有する一体形の基板３が弾性部材により形成され、該基板を板面方向に湾曲し、該基板３における基体部４の複数個所と両側のアーム部５、５とに形成された空所部８にて揺動自在となる弾性支持板９が片持式に固定され、各弾性支持板には基板３の湾曲面の内側にむけて押圧体７が設けられ、その反対側に電動モータ１２が固定され、各電動モータの回転軸１３には偏心錘１４が固定され、各電動モータの偏心錘１４の回転によって発生した振動を弾性支持板９を介して押圧体１４に伝達する。【選択図】図２
2011036351.tif 000002
【特許請求の範囲】
【請求項１】
身体の両肩に装着することによって身体の肩部と背部をマッサージする肩背部マッサージ機において、
基体部の両側に間隔をあけてアーム部を突出形成したことによって略コ字形の内周部を有する一体形の基板が弾性部材により形成されると共に、該基板を板面方向に湾曲することによって該基板を身体の肩上部に倣った形状とし、
該基板における基体部の複数個所と各アーム部とに形成された空所部にて揺動自在となる弾性支持板が片持式に固定され、
各弾性支持板には基板の湾曲面の内側にむけて押圧体が設けられると共に、各弾性支持板には該押圧体が設けられた反対側に電動モータが固定され、
各電動モータの回転軸には偏心錘が固定され、
各電動モータに電源を供給して作動させることにより各電動モータの偏心錘の回転によって発生した振動を弾性支持板を介して押圧体に伝達し、
各アーム部の押圧体を身体の両肩の前部位に当てると共に、基体部の各押圧体を身体の背部に当てた状態で装着し、
各押圧体を当接した身体の部位を各押圧体の振動によってマッサージするようにしたことを特徴とする肩背部マッサージ機。
【請求項２】
基板における基体部の離間した部位に一対のベルトを固設すると共に、各アーム部の端部に一対のベルトを固設し、基体部側の一対のベルトとアーム部側の一対のベルトとを各ベルトの端部に固設した接続具で接続して締結することにより、各アーム部の押圧体を身体の両肩の各前部に当て、基体部側の両側の各押圧体を背中に当てた状態を固定可能としたことを特徴とする請求項１記載の肩背部マッサージ機。
【請求項３】
基体部と両側のアーム部とからなる基板と、該基板の各部に設けた弾性支持板、押圧体、電動モータ、配線及び配線基板をソフトケースで被覆してなることを特徴とする請求項１又は２記載の肩背部マッサージ機。
【請求項４】
各電動モータに接続した配線を電源コードに接続することによって電源を供給するようにしたことを特徴とする請求項１、２又は３記載の肩背部マッサージ機。
【請求項５】
各電動モータに接続した配線に対して充電器を接続可能としたことを特徴とする請求項１、２、３又は４記載の肩背部マッサージ機。
【請求項６】
基体部と両側のアーム部とからなる基板における該基体部と各アーム部とを別体で形成すると共に、基体部と両側のアーム部とを夫々独立したハードケースによって被覆し、基体部の両側の各部位に弾性部材を介してアーム部を連結することによって、両側のアーム部の間隔が弾性的に可変とされたことを特徴とする請求項１、２、３、４又は５記載の肩背部マッサージ機。
【発明の詳細な説明】
【技術分野】
【０００１】
本発明は、身体の両肩に掛けるように装着することによって身体の肩部と背部をマッサージすることができる肩背部マッサージ機に関する。
【背景技術】
【０００２】
従来から各種のマッサージ機が開発され、実用化されている。ところが、身体の肩部や背部をマッサージする装置としては、椅子式マッサージ機の一部の機能として、肩部や背部をマッサージするように構成したものが大半であった。
【０００３】
また、下記の特許文献１に記載されている健康増進具は、身体の肩部に装着するものであるが、人体の胸部を押えることによって疲労感を軽減するようにしたものである。その構成は、人体の肩甲骨の間の領域に当てられる支持ベースと、該支持ベースに支持されて人体の肩部方向に延長されてなるアーム部と、該アーム部の先端側に設けられた胸押え部とからなるものであり、この胸押え部に設けられたハンドル部を操作することによって、人体の胸部に押圧力を与え、疲労感を解消し、爽快感を得るようにしている。
【０００４】
ところで、この特許文献１の健康増進具は、支持ベースを人体の肩甲骨の間の領域に当てるように構成してあるが、この支持ベースにマッサージ機能はないため、人体の背部をマッサージする機能は存在しない。また、この健康増進具は、胸押え部を袋体で構成し、この袋体にエアーを供給して膨らませることによって、胸部を適度な力で押圧するように構成することが可能である。
【０００５】
また、上記の健康増進具は、電動モータ等の動力手段によって作動させるものではなく、ハンドル部を手動で作動させることを基本的な使用方法とするものである。そのため、この健康増進具を用いてマッサージを行う際は、ハンドルを上下に動かすという操作を必要とするため、これに労力を要し、少なくともハンドル部を操作する手で他の作業を行うことができないという不都合がある。
【先行技術文献】
【特許文献】
【０００６】
【特許文献１】特開２００６−２６３３９３号公報
【発明の概要】
【発明が解決しようとする課題】
【０００７】
上記のように特許文献１の装置は、身体の両肩に装着するようにした健康増進具ではあるが、その構成は、人体の肩部や背部をマッサージするようにしたものではなく、電動モータ等の動力手段を備えるものでもなく、手動で胸部を適度に押圧するようにしたものである。
【０００８】
本発明は、上記の従来装置とは異なり、安楽にしているとき、又は事務等の作業をしているときであっても、身体の両肩に装着し、電動モータの動力手段によって押圧体を作動させることにより、身体の肩部と背部をマッサージすることができ、これによって身体の肩部及び背部の血行を増進し、疲労を回復するようにした肩背部マッサージ機を提供することを目的とする。
【課題を解決するための手段】
【０００９】
上記の目的を達成するために、本発明における請求項１の肩背部マッサージ機は、身体の両肩に装着することによって身体の肩部と背部をマッサージする肩背部マッサージ機において、基体部の両側に間隔をあけてアーム部を突出形成したことによって略コ字形の内周部を有する一体形の基板が弾性部材により形成されると共に、該基板を板面方向に湾曲することによって該基板を身体の肩上部に倣った形状とし、該基板における基体部の複数個所と各アーム部とに形成された空所部にて揺動自在となる弾性支持板が片持式に固定され、各弾性支持板には基板の湾曲面の内側にむけて押圧体が設けられると共に、各弾性支持板には該押圧体が設けられた反対側に電動モータが固定され、各電動モータの回転軸には偏心錘が固定され、各電動モータに電源を供給して作動させることにより各電動モータの偏心錘の回転によって発生した振動を弾性支持板を介して押圧体に伝達し、各アーム部の押圧体を身体の両肩の前部位に当てると共に、基体部の各押圧体を身体の背部に当てた状態で装着し、各押圧体を当接した身体の部位を各押圧体の振動によってマッサージするようにしたことを特徴とする。
【００１０】
また、本発明の請求項２の肩背部マッサージ機は、請求項１において、基板における基体部の離間した部位に一対のベルトを固設すると共に、各アーム部の端部に一対のベルトを固設し、基体部側の一対のベルトとアーム部側の一対のベルトとを各ベルトの端部に固設した接続具で接続することにより、各アーム部の押圧体を身体の両肩の各前部に当て、基体部側の両側の各押圧体を背中に当てた状態を固定可能としたことを特徴とする。
【００１１】
また、本発明の請求項３の肩背部マッサージ機は、請求項１又は２において、基体部と両側のアーム部とからなる基板と、該基板の各部に設けた弾性支持板、押圧体、電動モータ、配線及び配線基板をソフトケースで被覆してなることを特徴とする。
【００１２】
また、本発明の請求項４の肩背部マッサージ機は、請求項１、２又は３において、各電動モータに接続した配線を電源コードに接続することによって電源を供給するようにしたことを特徴とする。
【００１３】
また、本発明の請求項５の肩背部マッサージ機は、請求項１、２、３又は４において、各電動モータに接続した配線に対して充電器を接続可能としたことを特徴とする。
【００１４】
さらに、本発明の請求項６の肩背部マッサージ機は、請求項１、２、３、４又は５において、基体部と両側のアーム部とからなる基板における該基体部と各アーム部とを別体で形成すると共に、基体部と両側のアーム部とを夫々独立したハードケースによって被覆し、基体部の両側の各部位に弾性部材を介してアーム部を連結することによって、両側のアーム部の間隔が弾性的に可変とされたことを特徴とする。
【発明の効果】
【００１５】
本発明の肩背部マッサージ機によれば、該マッサージ機における各アーム部の押圧体を身体の両肩の前部位に当てると共に、基体部の各押圧体を身体の背部に当てた状態で装着することが可能である。このとき、身体の首部は基板の略コ字形の内周部の内側に収容された状態となる。
【００１６】
このような装着状態において、一体形をなす基板が弾性部材から形成されたことにより、基板の一部をなす両側のアーム部の間隔が弾性的に可変となる。従って、体格の違いによって異なる身体の首部の太さに応じて両側のアーム部の間隔が弾性的に拡縮し、体格の異なる様々な人が使用する場合にも、最良の装着感でマッサージを遂行することが可能となる。
【００１７】
また、上記のように本発明のマッサージ機を身体の両肩に装着した状態で、各電動モータを駆動することにより、各押圧体を支持する弾性支持板が揺動して各押圧体に振動を発生させることができる。これによって、各押圧体を当てた身体の肩部及び背部をマッサージして血行を増進し、疲労を回復することが可能となる。
【００１８】
また、本発明の肩背部マッサージ機は、上記のように身体の両肩に装着した状態で各押圧体を電動モータの駆動によって振動させることにより、肩部と背部のマッサージを手放しで遂行することができるため、このマッサージ機を両肩に装着した後は、空いた両手を使って事務や家事等の作業を行うことが可能となる。
【００１９】
さらに、本発明の肩背部マッサージ機において、基板における基体部の離間した部位に一対のベルトを固設すると共に、各アーム部の端部に一対のベルトを固設し、各ベルトを接続具で接続することにより、身体の両肩に装着したマッサージ機を身体に固定状態で使用することが可能となる。これによって、各押圧体の押圧力を身体部位に密着させて、その振動を強く作用させることが可能となる。また、本発明の肩背部マッサージ機を装着した状態で、作業や運動等の身体の動作をすることも可能となる。
【図面の簡単な説明】
【００２０】
【図１】本発明による実施例１の肩背部マッサージ機とコントローラの正面図である。
【図２】本発明による実施例１の肩背部マッサージ機の内部構造を示す平面図である。
【図３】本発明による実施例１の肩背部マッサージ機の内部構造を示す背面図である。
【図４】本発明による実施例１の肩背部マッサージ機の内部構造を示す側面図である。
【図５】(ａ)及び（ｂ）は本発明による実施例１の肩背部マッサージ機の各押圧体に振動を発生させる構造を示す部分図である。
【図６】本発明による実施例１の肩背部マッサージ機の外観を示す側面図である。
【図７】本発明による実施例１の肩背部マッサージ機を身体の両肩に装着した状態を示す正面図である。
【図８】本発明による実施例１の肩背部マッサージ機を身体の両肩に装着した状態を示す背面図である。
【図９】本発明による実施例１の肩背部マッサージ機を身体の両肩に装着した状態を示す側面図である。
【図１０】本発明による実施例２の肩背部マッサージ機の内部構造を示す平面図である。
【図１１】本発明による実施例２の肩背部マッサージ機とコントローラの外観を示す平面図である。
【図１２】本発明による実施例２の肩背部マッサージ機の外観を示す側面図である。
【発明を実施するための形態】
【００２１】
以下、本発明の実施例について図面を参照しながら説明する。
【実施例１】
【００２２】
本発明による肩背部マッサージ機１（以下、単に「マッサージ機１」と云う）は、図７〜図９に示すように、身体の両肩Ｓ、Ｓに装着することによって身体の肩部Ｓと背部Ｂをマッサージするようにしたものである。以下、そのマッサージ機１の構成及び作用効果等について述べる。
【００２３】
図１は本発明のマッサージ機１の外観を示す平面図であり、後述するソフトケース２で内部構造を被覆した状態を示す。図２〜図５は、図１のソフトケース２を取り去った内部構造を示す図である。
【００２４】
図２の平面図において、基板３はＡＢＳ樹脂等による薄厚板状の弾性部材により一体形状に形成され、略長方形状の基体部４の両側に間隔をあけてアーム部５、５を突出形成したことによって略コ字形の内周部６を有する形状とされている。
【００２５】
このような基板３の構成によって、一体形を成す基板３が弾性部材から形成されたことによって両側のアーム部５、５の間隔が弾性的に可変となる。従って、体格の違いによって異なる身体の首部Ｎの太さに応じて両側のアーム部５、５の間隔を弾性的に拡縮することが可能となる。
【００２６】
また、本発明のマッサージ機１は、上記の基板３を板面方向に湾曲することによって、該基板３を身体の肩上部に倣った形状としてある。これによって、図９に示すように、本発明によるマッサ−ジ機１を身体の肩部Ｓに掛けて使用する際、マッサージ機１の装着感を良好なものにすることが可能となる。また、基板３を身体の肩上部に倣った形状に湾曲することによって、図７〜図９に示すように、後述するアーム部５に設けられた押圧体７ａが肩部Ｓの前部位、具体的には鎖骨Ｃの上部に的確に当り、また、後述する基体部４に設けられた押圧体７ｂが左右の肩甲骨ＳＢの間の筋肉又はツボに的確に当るように向けることが可能となる。
【００２７】
さらに、本実施例においては、図２又は図３に示すように、基板３における基体部４の複数個所と各アーム部５、５とに長方形状の空所部８、８・・・が形成されている。より具体的に述べると、基板３の基体部４に形成された左右の空所部８、８・・・は基体部４の両端付近に設けられ、各アーム部５、５に形成された空所部８、８・・・は夫々のアーム部５、５の端部付近に形成されている。なお、基体部４の両端付近に設けられてなる２箇所の空所部８、８・・・のほかに、図２に点線で示す部位に空所部８’、８’・・・を設けることによって、後述するように、図１又は図６に示すような押圧体７ｃ、７ｃを増設することが可能となる。
【００２８】
また、図２に示すように、上記の各空所部８、８・・・の内部には板バネの材料となるステンレスのような弾性金属板等を用いて形成された弾性支持板９の一端がネジ１１で片持式に固定されたことによって、各空所部８、８・・・において各弾性支持板９が揺動自在となるように取付けられている。
【００２９】
また、夫々の弾性支持板９には、図４に示すように、基板３の湾曲面の内側にむけて押圧体７、７・・・が設けられている。各押圧体７、７・・・は身体部位を押圧するのに適するように柔軟であって弾性を有するゴムや合成樹脂等の材料から形成されている。また、各押圧体７の形状は、少なくとも身体部位に当る先部が湾曲をなす略球形状又はキノコの頭部のような形状に形成され、各弾性支持板９にネジ１０で固定されている。
【００３０】
なお、本実施例においては、各アーム部５、５に設けられた押圧体７を７ａで示し、基体部４に設けられた押圧体７を７ｂで示し、さらに基体部４の押圧体7ｂの近傍に増設した押圧体を７ｃで示す。
【００３１】
さらに、図５(ａ)又は（ｂ）に示すように、各弾性支持板９には上記の押圧体７が設けられた反対側に電動モータ１２が固定され、各電動モータ１２の回転軸１３には偏心錘１４が固定されている。この偏心錘１４は、電動モータ１２の回転軸１３に取付けた軸中心から偏心状態で略半円形の錘を軸設してなるものであり、各電動モータ１２に電源を供給して作動させることにより、各電動モータ１２の偏心錘１４の回転によって振動が発生する。この振動は、片持式に揺動自在に設けられた上記の弾性支持板９を介して夫々の押圧体７、７・・・に伝達される。
【００３２】
なお、図５(ａ)、（ｂ）において、各弾性支持板９の上部にはモータ台板１２ｃが敷設され、その上端部にモータ側支持片１２ａと軸支持片１２ｂとが板部材の折曲形成によって形成されると共にネジ９ａで固定されている。また、モータ側支持片１２ａに電動モータ１２を固定すると共に、軸支持片１２ｂで回転軸１３の端部を回動自在に保持するようにしている。
【００３３】
上記の構成において、図２〜図４等に示すように、基板３における基体部４の離間した部位にベルト通し孔２３、２３を設けて一対のベルト１５、１５・・・を固設すると共に、各アーム部５、５の端部にベルト通し孔２３、２３を設けて一対のベルト１５、１５・・・を固設する。また、基体部４側のベルト１５とアーム部５、５側のベルト１５とを各ベルト１５の端部に固設した接続具１６で接続するように構成したことにより、図７〜図９に示すように、各アーム部５、５の押圧体７ａ、７ａを身体の両肩Ｓ、Ｓの夫々の前部位に密着して当て、基体部４側の両側の各押圧体７ｂ、７ｂを背部Ｂに密着して当て、しかもこのように身体各部に密着させた各押圧体７、７・・・を身体に対して固定状態にすることが可能となる。従って、このようにベルト１５、１５・・・を用いることによって、マッサージ機１及び各押圧体７、７・・・を身体に密着させた状態に装着すると、各押圧体７、７・・・の振動が各身体部位に対して効率的に伝達されるため、優れたマッサージ効果を得ることが可能となる。
【００３４】
また、図１又は図６に示すように、基体部４と両側のアーム部５、５とからなる基板３と、該基板３の各部に設けた弾性支持板９、押圧体７、電動モータ１２、配線１７及び配線基板１８を布やレザー等によるソフトケース２で被覆した構成とすることが可能である。この場合、ソフトケース２の内部には電気絶縁を確保するシール材料と、クッション性を有する軟質ポリウレタンフォーム等のクッション材料を設け、使用時の外観的なファッション性と安全性とソフトな使用感を確保する。
【００３５】
なお、図１又は図６に示すように、本実施例においては、各アーム部５、５に設けた押圧体７ａ、７ａによってソフトケース２に形成される隆起形状を隆起部７Ａとし、基体部４に設けられた押圧体７ｂ、７ｂによってソフトケース２に形成される隆起形状を隆起部７Ｂとし、増設した押圧体７ｃによってソフトケース２に形成される隆起形状を隆起部７Ｃとしている。
【００３６】
また、図２に示すように、各電動モータ１２に接続した配線１７を配線基板１８を介して電源コード１９に接続することにより、各電動モータ１２に電源を供給することが可能である。この場合、配線基板１８と電源コード１９との間にコントローラ２０を接続して、該コントローラ２０で各電動モータ１２の出力を調整し得る構造とすることによって、夫々の押圧体７、７・・・の振動の強弱を調整することが可能となる。
【００３７】
さらに、各電動モータ１２に接続した配線１７に対して不図示の充電器を接続して構成とすることにより、本発明のマッサージ機１を携帯して使用することが可能となる。
【００３８】
上記のように構成された本発明によるマッサージ機１を身体に装着するには、図７〜図９に示すように、ベルト１５、１５・・・の各接続具１６を互いに離脱した状態で各アーム部５、５を身体の背後から前方向に向けて両肩Ｓ、Ｓの上部に掛けるように装着する。このとき、身体の首部Ｎは基体３の略コ字形の内周部６の内側に収容される。この際、両側のアーム部５、５の間隔が弾性的に可変するため、体格の違いによって異なる身体の首部Ｎの太さに応じて両側のアーム部５、５の間隔が弾性的に拡縮することが可能となる。
【００３９】
また、上記のマッサージ機１の各アーム部５、５を両肩Ｓ、Ｓの上部に装着することによって、図７又は図９に示すように、各アーム部５、５の押圧体７ａ、７ａ、即ち隆起部７Ａ、７Ａを身体の両肩Ｓ、Ｓの夫々の前部位、具体的には鎖骨Ｃ、Ｃの上部に当るようにし、基体部４の各押圧体７ｂ、７ｂ、即ち隆起部７Ｂ、７Ｂを身体の背部Ｂに当てた状態とする。なお、このような装着状態において、各アーム部５、５の押圧体７ａ、７ａ、即ち隆起部７Ａ、７Ａを両肩Ｓ、Ｓの鎖骨Ｃ、Ｃの上部に当てることによって、各隆起部７Ａが鎖骨Ｃの上方の僧帽筋に引掛けられた状態となって、各アーム部５、５の隆起部７Ａ、７Ａが両肩Ｓ、Ｓから離脱し難くなる。
【００４０】
上記のことからも、本実施例においては、各アーム部５、５の隆起部７Ａ、７Ａが、図７に示すように両側の鎖骨Ｃ、Ｃの上部に位置するように、各アーム部５、５における各押圧体７ａ、７ａの位置を設定することが好ましい。また、基体部４の各押圧体７ｂ、７ｂが、図８に示すように背部Ｂの左右の肩甲骨ＳＢ、ＳＢの間の筋肉又はツボに当るように、基体部４における各押圧体７ｂ、７ｂの位置を設定することが好ましい。
【００４１】
また、上記のように本発明のマッサージ機１を身体の両肩Ｓ、Ｓに装着した状態で、各電動モータ１２に電源を入れて駆動すると、各押圧体７、７・・・を支持する弾性支持板９が揺動して各押圧体７、７・・・に振動を発生させることにより、各押圧体７、７・・・を当てた身体の肩部Ｓ及び背部Ｂをマッサージして血行を増進し、疲労を回復することが可能となる。
【実施例２】
【００４２】
上記の実施例では、基板３の構成を、基体部４の両側に間隔をあけてアーム部５、５を突出形成してなる一体形状としてあるが、本実施例は、基板３の構成を基体部４と両側のアーム部５、５とを別体に構成したものとしている。このような本実施例では、別体に形成した基体部４と両側アーム部５、５とを弾性のゴム部材、又は不図示のバネ部材等の弾性部材２１で連結した構成としている。このような構成により、基体部４に対して各アーム部５、５を弾性的に揺動可能とし、両側の各アーム部５、５間の離間幅を調整可能とすることが可能となる。なお、図１０、図１２に示す蓋部材２１ａは弾性部材２１の外端部に付設したものである。
【００４３】
また、この実施例においては、上記のように基体３の構造は異なるが、その他の構造は略同様に構成することが可能であり、基体部４の複数個所と各アーム部５、５とに形成された空所部８、８・・・にて揺動自在となる弾性支持板９が片持式に固定されている。また、各弾性支持板９には基板３の湾曲面の内側に向けて押圧体７、７・・・が設けられている。さらに、各押圧体７、７・・・を電動モータ１２によって駆動することにより、各電動モータ１２の回転軸１３に設けた偏心錘１４の回転によって振動が発生する。この振動を弾性支持板９を介して各押圧体７、７・・・に伝達することによって、各押圧体７、７・・・を当接した身体の部位を各押圧体７、７・・・の振動によってマッサージすることが可能となる。
【００４４】
また、本実施例においては、基体部４と両側のアーム部５、５とを合成樹脂等によるハードケース２２で独立した形状によって被覆し、上記のように、基体部４の両側の各部位に弾性ゴム等の弾性部材２１を介してアーム部５、５を連結することによって、両側のアーム部５、５の間隔を弾性的に可変とすることが可能である。
【００４５】
このような構造によっても、基板３の略コ字形の内周部６の内側に身体の首部Ｎが収容された際、体格の違いによって異なる身体の首部Ｎの太さに応じて両側のアーム部５、５の間隔が弾性的に拡縮することが可能であり、優れた装着感を得ることが可能となる。
【００４６】
なお、この実施例２の構造において、図１０に示す基板３の基体部４の上下の長さを拡張することによって、該基体部４の左右の空所部８、８の縦方向に配列して不図示の他の空所部を増設することができる。これによって、実施例１と同様、図１１、図１２に示すように増設した押圧体７ｃ、７ｃ、及び増設した押圧体７ｃ、７ｃによる隆起部７Ｃ、７Ｃを構成することが可能となる。
【産業上の利用可能性】
【００４７】
本発明の肩背部マッサージ機は、安楽にしているとき、又は事務等の作業をしているときであっても、身体の両肩に装着し、電動モータの動力手段によって押圧体を作動させることにより、身体の肩部と背部をマッサージすることができ、これによって身体の肩部及び背部の血行を増進し、疲労を回復するようにした肩背部マッサージ機として利用することが可能である。
【符号の説明】
【００４８】
Ｂ  背部
Ｃ  鎖骨
Ｎ  首部
Ｓ  肩部
Ｓ、Ｓ  両肩
ＳＢ  肩甲骨
１  マッサージ機
２  ソフトケース
３  基板
４  基体部
５  アーム部
６  内周部
７  押圧体
７ａ  アーム部に設けた押圧体
7ｂ  基体部に設けた押圧体
7ｃ  増設した押圧体
７Ａ  アーム部の押圧体による隆起部
7Ｂ  基体部の押圧体による隆起部
７Ｃ  増設した押圧体による隆起部
８  空所部
８’  増設した空所部
９  弾性支持板
９ａ  ネジ
１０  ネジ
１１  ネジ
１２  電動モータ
１２ａ  モータ側支持片
１２ｂ  軸支持片
１２ｃ  モータ台板
１３  回転軸
１４  偏心錘
１５  ベルト
１６  接続具
１７  配線
１８  配線基板
１９  電源コード
２０  コントローラ
２１  弾性部材
２１ａ  蓋部材
２２  ハードケース
２３  ベルト通し孔
【図１】
2011036351.tif 000003
【図２】
2011036351.tif 000004
【図３】
2011036351.tif 000005
【図４】
2011036351.tif 000006
【図５】
2011036351.tif 000007
【図６】
2011036351.tif 000008
【図７】
2011036351.tif 000009
【図８】
2011036351.tif 000010
【図９】
2011036351.tif 000011
【図１０】
2011036351.tif 000012
【図１１】
2011036351.tif 000013
【図１２】
2011036351.tif 000014